(57)【要約】【課題】便器本体の形状に拘わらず、左右方向の位置ズレやがたつきがなく、既設の洋風便器に安定した状態で確実に取り付けることができる便器用手摺を提供する。【解決手段】便所の床に固定設置された便器Ｂの床固定部ｆの両側部に沿うように配設される、左右一対のベース部材１０、各ベース部材１０にそれぞれ立設された、左右一対の起立部材２０、左右一対の起立部材２０を相互に連結する連結部材３０及び連結部材３０に取り付けられた左右一対の固定部材４０を有する本体部と、先端部を後方側に跳ね上げ可能に、各起立部材２０の上端部にそれぞれ支持された左右一対の手摺部材５０とを備えており、固定部材４０は、本体部の左右両側から便器Ａの幅方向の中央部に向かって斜め上方に立ち上がる一対のアーム（固定アーム４２、可動アーム４３）と、アームの先端に取り付けられた押圧部４５とを有し、アームは高さ位置を変更可能に本体部に取り付けられている。【選択図】        図２
2018064782.tif 000002
【特許請求の範囲】
【請求項１】
便器本体の上縁部に便座が載置される洋風便器の左右両側に起立する一対の起立部材を有する本体部と、
前記起立部材の上端部に取り付けられた手摺部材と、
前記本体部に取り付けられ、前記本体部を前記便器本体に固定する固定部材と
を備え、
前記固定部材は、
前記本体部の左右両側から前記便器本体の幅方向の中央部に向かってそれぞれ伸び出す一対のアームと、
前記一対のアームの先端にそれぞれ取り付けられ、前記便器本体の上縁部における左右の外側面をそれぞれ押圧する一対の押圧部と
を有していることを特徴とする便器用手摺。
【請求項２】
前記本体部は、前記便器本体の前側において、一対の起立部材を相互に連結する連結部材を有し、
前記一対のアームは、前記連結部材に直接または支持脚を介して取り付けられており、
前記連結部材は、前記便器本体の上縁部の下側で、前記便器本体の高さの１／２以上の高さ位置に配置されている請求項１に記載の便器用手摺。
【発明の詳細な説明】
【技術分野】
【０００１】
この発明は、既設の洋風便器（以下、便器という。）に取り付けることで、足腰の弱い高齢者の用便動作を助けることのできる便器用手摺に関する。
【背景技術】
【０００２】
既設の便器に取り付ける便器用手摺としては、例えば、図７に示すようなものがある。この便器用手摺７０は、同図に示すように、便所の床に固定設置された便器Ａの床固定部ｆの両側部に沿うように配設される左右一対のベース部材７１と、各ベース部材７１にそれぞれ立設された左右一対の起立部材７２と、左右一対の起立部材７２を相互に連結する連結部材７３と、連結部材７３に取り付けられた左右一対の固定部材７４と、各起立部材７２の上端部にそれぞれ支持された左右一対の手摺部材７５とを備えている。
【０００３】
前記固定部材７４は、同図に示すように、連結部材７３の直線部７３ａ、７３ａの外端部に立設された支持脚７４ａ、７４ａと、この支持脚７４ａ、７４ａの上端部にそれぞれ固着され、内側に向かって斜め上方に立ち上がる一対の固定アーム７４ｂ、７４ｂと、それぞれの固定アーム７４ｂにその上端から差し込まれて、上下方向にスライドする可動アーム７４ｃ、７４ｃと、各可動アーム７４ｃ、７４ｃの先端に取り付けられ、便器Ａの湾曲した上部外表面に当接して押圧する押圧部７４ｅとから構成されており、固定アーム７４ｂの上面に形成された上下方向に延びる長孔（図示せず）に通したノブボルト７４ｄを、可動アーム７４ｃの下端部に形成されたねじ孔（図示せず）にねじ込んで締め付けることにより、長孔の長さの範囲内で可動アーム７４ｃを任意の位置に固定することができるようになっている。
【０００４】
前記押圧部７４ｅは、同図に示すように、可動アーム７４ｃの上端に取り付けられたアジャスタ７４ｆと、このアジャスタ７４ｆに自在継手７４ｇを介して取り付けられた、ゴム等の弾性体からなる当接体７４ｈとから構成されており、アジャスタ７４ｆを回転させることで、当接体７４ｈが固定アーム７４ｂの延びだし方向に進退すると共に便器Ａの上部外表面の湾曲状態に応じて、ある程度の自由度を持って当接体７４ｈの接触角度を調整できるようになっている。
【０００５】
従って、当接体７４ｈを便器Ａの湾曲した上部外表面に当接させた状態で可動アーム７４ｃを固定アーム７４ｂに固定し、アジャスタ７４ｆによって、当接体７４ｈをさらに突出させると、当接体７４ｈが便器Ａの湾曲した上部外表面を押圧した状態となり、左右方向の位置ズレやがたつきのない安定した状態で便器用手摺７０を設置することができる。
【０００６】
ところで、一般的な便器Ａは、図８（ａ）に示すように、便器本体Ａｂの側面が、その上部から高さ方向の中央に向かって緩やかに窪み、その窪み部ｈａから下方に向かって緩やかに拡がった形状を有しているが、近年は、同図（ｂ）に示すように、便器本体Ｂｂの側面上部が内側に大きく窪み、その窪み部ｈｂから下方に向かって外側に緩やかに拡がった節水型の便器Ｂが使用されるようになってきている。
【０００７】
このような節水型の便器Ｂに上述した便器用手摺７０を取り付けようとすると、図９に示すように、固定部材７４の押圧部７４ｅが当接する便器本体の上部外表面が、その上部から高さ方向の中央に向かって緩やかに窪んでいる一般的な便器Ａとは逆に、下方に向かって緩やかに拡がるように湾曲しているため、固定部材７４の当接体７４ｈが便器Ｂの湾曲した上部外表面を斜め下方から押圧することができず、安定した状態で設置することができないといった問題がある。
【０００８】
こういった問題を解決するため、従来は、図１０に示すように、固定部材７４の支持脚を、一対の固定支持脚７４ａｆと、それぞれの固定支持脚７４ａｆにその上端から差し込まれて、上下方向にスライドする可動支持脚７４ａｍとによって構成し、固定支持脚７４ａｆに形成された上下方向に延びる長孔（図示せず）にワッシャを介して通したねじＳＷを、可動支持脚７４ａｍの下端部に形成されたねじ孔（図示せず）にねじ込んで締め付けることにより、長孔の長さの範囲内で支持脚の長さを調整することができるようにすると共に、当接体７４ｈのフラットな当接面に円形凹部ＣＣを形成しておき、便器形状に応じて、支持脚の長さを調整すると共に、上述したような節水型の便器Ｂについては、当接体７４ｈの円形凹部ＣＣに半球状の付属部品７４ｉを装着することで、付属部品７４ｉの突出した当接面を便器Ｂの窪み部ｈｂに押し当てるようにしている。
【先行技術文献】
【特許文献】
【０００９】
【特許文献１】特開２０１２−２１７７１８号公報
【特許文献１】特開２０１６−１４６９９１号公報
【発明の概要】
【発明が解決しようとする課題】
【００１０】
しかしながら、図１０に示す便器用手摺７０ａのように、固定部材７４の支持脚を固定支持脚７４ａｆ及び可動支持脚７４ａｍからなる長さ調整可能（伸縮自在）な構成にしたり、付属部品７４ｉを用意したりすると、部品点数が多くなり、コストアップに繋がるといった問題があると共に、便器用手摺を設置する際、便器形状に応じて、固定支持脚７４ａｆに対して可動支持脚７４ａｍをスライドさせることで支持脚の長さを調整したり、当接体７４ｈの円形凹部ＣＣに半球状の付属部品７４ｉを装着したりしなければならず、設置作業が繁雑になるといった問題もある。
【００１１】
そこで、この発明の課題は、便器本体の形状に応じて、当接体の押圧位置を調整したり、当接体に付属部品を装着したりする必要がない便器用手摺を提供することにある。
【課題を解決するための手段】
【００１２】
上記の課題を解決するため、請求項１に係る発明は、便器本体の上縁部に便座が載置される洋風便器の左右両側に起立する一対の起立部材を有する本体部と、前記起立部材の上端部に取り付けられた手摺部材と、前記本体部に取り付けられ、前記本体部を前記便器本体に固定する固定部材とを備え、前記固定部材は、前記本体部の左右両側から前記便器本体の幅方向の中央部に向かってそれぞれ伸び出す一対のアームと、前記一対のアームの先端にそれぞれ取り付けられ、前記便器本体の上縁部における左右の外側面をそれぞれ押圧する一対の押圧部とを有していることを特徴とする便器用手摺を提供するものである。
【００１３】
また、請求項２に係る発明は、請求項１に係る発明の便器用手摺において、前記本体部は、前記便器本体の前側において、一対の起立部材を相互に連結する連結部材を有し、前記一対のアームは、前記連結部材に直接または支持脚を介して取り付けられており、前記連結部材は、前記便器本体の上縁部の下側で、前記便器本体の高さの１／２以上の高さ位置に配置されていることを特徴としている。
【発明の効果】
【００１４】
以上のように、請求項１に係る発明の便器用手摺は、本体部を前記便器本体に固定する固定部材の押圧部が、便器本体の種類に拘わらず、略同一高さで、略同一形状である便器本体の上縁部における左右の外側面を押圧する構成を採用したので、形状の異なる便器本体に対応するために、固定部材に押圧位置の調整機構を設けたり、付属部品等を用意したりする必要がなく、製造コストを抑えることができると共に、便器本体の形状に応じて取付方法を変える必要もないので、設置作業が繁雑になることもない。
【００１５】
特に、請求項２に係る発明の便器用手摺は、便器本体の前側において、一対の起立部材を相互に連結する連結部材が、便器本体の上縁部の下側で、便器本体の高さの１／２以上の高さ位置に配置されているので、便器に着座した用便者の便器前方に位置する膝裏に近い高さに連結部材が位置することになり、膝を曲げてかかとを後方に移動させた場合でも、足首からふくらはぎに至る部分が連結部材に接触しにくく、連結部材が邪魔になりにくいという効果が得られる。
【図面の簡単な説明】
【００１６】
【図１】この発明に係る便器用手摺を節水型の洋風便器に取り付けた状態を示す斜視図である。
【図２】同上の便器用手摺を示す正面図である。
【図３】同上の便器用手摺を示す平面図である。
【図４】同上の便器用手摺を示す側面図である。
【図５】同上の便器用手摺の固定部材を示す詳細図である。
【図６】同上の便器用手摺を一般的な洋風便器に取り付けた状態を示す正面図である。
【図７】従来の便器用手摺を一般的な便器に取り付けた状態を示す正面図である。
【図８】（ａ）は一般的な洋風便器の一例を示す正面図、（ｂ）は節水型の洋風便器の一例を示す正面図である。
【図９】従来の便器用手摺を節水型の洋風便器に取り付けたときの問題点を説明するための説明図である。
【図１０】改良した従来の便器用手摺を節水型の洋風便器に取り付けた状態を示す正面図である。
【発明を実施するための形態】
【００１７】
以下、実施の形態について図面を参照して説明する。図１〜図４に示すように、この便器用手摺１は、便所の床に固定設置された節水型の便器Ｂの床固定部ｆの両側部に沿うように配設される左右一対のベース部材１０、各ベース部材１０にそれぞれ立設された左右一対の起立部材２０及び左右一対の起立部材２０を相互に連結する連結部材３０を有する本体部と、連結部材３０に取り付けられた、本体部を便器Ｂの便器本体Ｂｂに固定する左右一対の固定部材４０と、各起立部材２０の上端部にそれぞれ固定された左右一対の手摺部材５０とを備えており、便器本体Ｂｂは、その上縁部（リム部）ｕｅの下側が内側に大きく窪み、その窪み部ｈｂから下方に向かって外側に緩やかに拡がった形状を有している。
【００１８】
前記ベース部材１０は、前後端に合成樹脂製のキャップがそれぞれ装着された扁平な金属製の角パイプによって形成されており、各ベース部材１０の前後端の下面側には、高さ調整を行うためのアジャスタ１１、１１が取り付けられている。
【００１９】
前記起立部材２０は、ベース部材１０の後部側に固着された金属製の角パイプからなる下部支柱２１と、この下部支柱２１にその上端側から差し込まれて、下部支柱２１内を上下にスライドする金属製の角パイプからなる上部支柱２２とから構成されている。
【００２０】
前記下部支柱２１の前面には複数のボルト挿通孔２１ａが上下に形成されており、いずれかのボルト挿通孔２１ａに通したノブボルト２０Ａを、上部支柱２２の下部前面に形成されたねじ孔（図示せず）にねじ込んで締め付けることにより、上部支柱２２を所定の高さに段階的に固定することができるようになっている。
【００２１】
前記連結部材３０は、左右一対の起立部材２０、２０を構成している下部支柱２１、２１から内側に張り出すように、下部支柱２１、２１の後面における上部位置（便器本体Ｂｂの上縁部（リム部）ｕｅの下側で、便器本体Ｂｂの高さの１／２以上の高さ位置）にそれぞれ固着された、便器Ｂの幅方向に延びる左右一対の直線部３１、３１と、両端部が左右一対の直線部３１、３１における内端側の前面にそれぞれ連設された、便器Ｂにおける床固定部ｆの前端上部を取り囲むように、中央部を略Ｕ字状に屈曲させた屈曲部３２とから構成されており、直線部３１は金属製の角パイプによって、屈曲部３２は金属製の丸パイプによってそれぞれ形成されていると共に、各直線部３１の内端及び外端には、合成樹脂製のキャップがそれぞれ装着されている。
【００２２】
前記固定部材４０は、図１〜図５に示すように、連結部材３０の直線部３１、３１の外端部に立設された支持脚４１、４１と、この支持脚４１、４１の上端部にそれぞれ固着され、便器本体Ｂｂの幅方向の中央部に向かって斜め上方にそれぞれ伸び出す一対の固定アーム４２、４２と、それぞれの固定アーム４２にその上端から差し込まれて、斜め上下方向にスライドする可動アーム４３、４３と、各可動アーム４３、４３の先端に取り付けられ、便器本体Ｂｂの上縁部（リム部）ｕｅにおける左右の外側面に当接して押圧する押圧部４５とから構成されており、前記固定アーム４２及び可動アーム４３は、金属製の角パイプによって形成されている。
【００２３】
前記固定アーム４２の上面には長手方向に延びる長孔４２ａが形成されており、この長孔４２ａに通したノブボルト４４を、可動アーム４３の基端部に形成されたねじ孔（図示せず）にねじ込んで締め付けることにより、長孔４２ａの長さの範囲内で可動アーム４３を任意の位置に固定することができるようになっている。
【００２４】
前記押圧部４５は、同図に示すように、可動アーム４３の上端に取り付けられたアジャスタ４６と、このアジャスタ４６に自在継手４７を介して取り付けられた、ゴム等の弾性体からなる当接体４８とから構成されており、便器本体Ｂｂの上縁部（リム部）ｕｅにおける左右の外側面の状態に応じて、ある程度の自由度を持って当接体４８の接触角度を調整できるようになっている。
【００２５】
前記アジャスタ４６は、可動アーム４３の上端に形成されたネジ孔（図示せず）にねじ込まれる全ネジボルト４６ａと、この全ネジボルト４６ａに固定された、全ネジボルト４６ａを回転させるための回転操作部４６ｂとから構成されており、回転操作部４６ｂを回転させることで、全ネジボルト４６ａが回転しながら進退し、当接体４８が固定アーム４２の延びだし方向に進退するようになっている。
【００２６】
前記手摺部材５０は、金属製のフレームに樹脂製のカバーを被せたものであり、フレームの長手方向の中央部よりも後方側が上部支柱２２の上端部に固定されている。
【００２７】
この便器用手摺１を便所に設置された節水型の便器Ｂに取り付けるには、まず、押圧部４５を構成している当接体４８が便器本体Ｂｂの上縁部（リム部）ｕｅの外側面に当接するように、可動アーム４３を固定アーム４２にそれぞれ固定した後、アジャスタ４６によって、当接体４８をさらに突出させると、当接体４８が、便器本体Ｂｂの上縁部（リム部）ｕｅの外側面に斜め下方から押し付けられ、便器用手摺１が確実に便器本体Ｂｂに固定される。
【００２８】
また、便器用手摺１を便所に設置された一般的な便器Ａに取り付ける場合も、節水型の便器Ｂに取り付ける場合と同様に、便器本体Ａｂの上縁部（リム部）ｕｅの外側面に当接するように、可動アーム４３を固定アーム４２にそれぞれ固定した後、アジャスタ４６によって、当接体４８をさらに突出させることで、便器用手摺１が確実に便器本体Ａｂに固定される（図６参照）。
【００２９】
以上のように、この便器用手摺１は、便器本体に固定する固定部材４０の押圧部４５が、便器本体の種類に拘わらず、略同一高さで、略同一形状である便器本体の上縁部における左右の外側面を押圧する構成を採用したので、便器本体の形状が異なる洋風便器に対応するために、固定部材に押圧位置の調整機構を設けたり、付属部品等を用意したりする必要がなく、製造コストを抑えることができると共に、便器本体の形状に応じて取付方法を変える必要もないので、設置作業が繁雑になることもない。
【００３０】
特に、この便器用手摺１は、便器本体の前側において、左右一対の起立部材２０を相互に連結する連結部材３０が、便器本体の上縁部（リム部）の下側で、便器本体の高さの１／２以上の高さ位置に配置されているので、便器に着座した用便者の便器前方に位置する膝裏に近い高さに連結部材が位置することになり、膝を曲げてかかとを後方に移動させた場合でも、足首からふくらはぎに至る部分が連結部材に接触しにくく、連結部材が邪魔になりにくいという効果が得られる。
【００３１】
また、連結部材３０の高さ位置を高くすることによって、固定部材４０を構成している支持脚４１を短くすることができるので、材料コストを削減することができるという効果もある。
【００３２】
なお、上述した実施形態では、連結部材３０が、便器本体の上縁部（リム部）の下側で、便器本体の高さの１／２以上の高さ位置に配置されているが、これに限定されるものではなく、便器本体の下部付近の高さ位置に配置してもよい。ただし、その場合は、固定部材４０を構成している支持脚４１を長くしなければならないことはいうまでもない。
【００３３】
また、上述した実施形態では、手摺部材５０が起立部材２０（上部支柱２２）の上端部に固定されたものについて説明したが、これに限定されるものではなく、後方に跳ね上げ可能な跳上タイプの手摺部材や、前後方向にスライド可能なスライドタイプの手摺部材を採用することができることはいうまでもない。
【００３４】
また、上述した実施形態では、固定部材４０が連結部材３０の直線部３１に取り付けられているが、これに限定されるものではなく、固定部材４０は本体部に取り付けられていればよく、例えば、起立部材２０の下部支柱２１に取り付けることも可能である。
【００３５】
また、連結部材３０の各直線部３１に、その外端側から各直線部３１内を左右にスライドする金属製の角パイプからなる可動アームを位置調整可能に差し込むと共に、その可動アームの先端に押圧部材を取り付け、その押圧部材を便所の側壁面に当接させて押圧するようにしておくと、便器用手摺の設置強度をさらに向上させることができる。
【産業上の利用可能性】
【００３６】
本発明は既設の洋風便器用の手摺として利用することができる。
【符号の説明】
【００３７】
１  便器用手摺
１０  ベース部材
１１  アジャスタ
２０  起立部材
２０Ａ  ノブボルト
２１  下部支柱
２１ａ  ボルト挿通孔
２２  上部支柱
３０  連結部材
３１  直線部
３２  屈曲部
４０  固定部材
４１  支持脚
４２  固定アーム
４２ａ  長孔
４３  可動アーム
４４  ノブボルト
４５  押圧部
４６  アジャスタ
４６ａ  全ネジボルト
４６ｂ  回転操作部
４７  自在継手
４８  当接体
５０  手摺部材
Ａ  一般の洋風便器
Ｂ  節水型の洋風便器
Ａｂ、Ｂｂ  便器本体
ｆ  床固定部
ｅｂ  拡大部
ｈａ、ｈｂ  窪み部
ｕｅ  上縁部（リム部）
【図１】
2018064782.tif 000003
【図２】
2018064782.tif 000004
【図３】
2018064782.tif 000005
【図４】
2018064782.tif 000006
【図５】
2018064782.tif 000007
【図６】
2018064782.tif 000008
【図７】
2018064782.tif 000009
【図８】
2018064782.tif 000010
【図９】
2018064782.tif 000011
【図１０】
2018064782.tif 000012